(57)【要約】【課題】本発明の目的は、流量計本体に対して表示器ユニットの取り付け位置を変更する際に、流量計本体から表示器ユニットを取り外すことを不要とする流量計を実現することにある。【解決手段】本発明は、開口部を備えた流量計本体と、前記開口部に蓋状に取り付けられた表示器ユニットとを備えた流量計において、前記表示器ユニットを前記流量計本体に対して回転自在に取り付ける取付手段を有することを特徴とする。【選択図】図１
2011107012.tif 000002
【特許請求の範囲】
【請求項１】
開口部を備えた流量計本体と、前記開口部に蓋状に取り付けられた表示器ユニットとを備えた流量計において、
前記表示器ユニットを前記流量計本体に対して回転自在に取り付ける取付手段を有することを特徴とする流量計。
【請求項２】
開口部を備えた流量計本体と、前記開口部に蓋状に取り付けられた表示器ユニットとを備えた流量計において、
前記開口部の内周縁面に形成された凹凸部と、
前記表示器ユニットに設けられ、前記凹凸部に係合する突起部と、
を有し、前記凹凸部と前記突起部とにより前記表示器ユニットは前記流量計本体に対して回転自在に取り付けられることを特徴とする流量計。
【請求項３】
前記突起部は、前記凹凸部に係合するように前記開口部の内周の円径方向に伸縮可能な弾性を有することを特徴とする請求項２記載の流量計。
【請求項４】
前記突起部は、前記表示器ユニットに取り付けられるばね構造部と、このばね構造部の先端に取り付けられ前記凹凸部に係合する係合部と、から成ることを特徴とする請求項２記載の流量計。
【請求項５】
前記凹凸部は、前記開口部の内周縁面の周方向に連続して形成された鋸歯で構成されることを特徴とする請求項２〜４のいずれかに記載の流量計。
【請求項６】
前記凹凸部は、前記開口部の内周縁面の周方向に９０度毎に形成されることを特徴とする請求項２〜４のいずれかに記載の流量計。
【請求項７】
開口部を備えた流量計本体と、前記開口部に蓋状に取り付けられた表示器ユニットとを備えた流量計において、
前記開口部の内周縁面に形成された突起部と、
前記表示器ユニットに設けられ、前記突起部に係合する凹凸部と、
を有し、前記凹凸部と前記突起部とにより前記表示器ユニットは前記流量計本体に対して回転自在に取り付けられることを特徴とする流量計。
【請求項８】
前記突起部は、前記凹凸部に係合するように前記表示器ユニットの外周の円径方向に伸縮可能な弾性を有することを特徴とする請求項７記載の流量計。
【請求項９】
前記突起部は、前記開口部の内周縁面に取り付けられるばね構造部と、このばね構造部の先端に取り付けられ前記凹凸部に係合する係合部と、から成ることを特徴とする請求項７記載の流量計。
【請求項１０】
前記凹凸部は、前記表示器ユニットの外周縁面の周方向に連続して形成された鋸歯で構成されることを特徴とする請求項７〜９のいずれかに記載の流量計。
【請求項１１】
前記凹凸部は、前記表示器ユニットの外周縁面の周方向に９０度毎に形成されることを特徴とする請求項７〜９のいずれかに記載の流量計。
【発明の詳細な説明】
【技術分野】
【０００１】
本発明は、流量計本体と流量計の表示器ユニットとの取り付け構造の改良に関する。
【背景技術】
【０００２】
流量計は、流量計本体と表示器ユニットから成り、液体の流量を検出するため工場等に設置される装置である。
【０００３】
このような従来の流量計本体と流量計の表示器ユニットとの取り付け構造の構成例を図面を用いて説明する。
図５は、流量計の従来の構成例を示した図であり、流量計本体と表示器ユニットの組み立て図である。
図示しない電子機器等を内部に備えた流量計本体１は、開口部１１を有し、この開口部１１の周縁部の４隅にそれぞれネジ穴部１２が設けられている。表示ユニット２は、流量値等を表示する表示部２１を有し、また、４隅にそれぞれ貫通穴２２が設けられている。ネジ３は、表示器ユニット２の貫通穴２２を通して、流量計本体１のネジ穴部１２に螺合する。
【０００４】
このような取り付け手段の動作例を説明する。図５の(ａ)において、ネジ３を、表示器ユニット２の貫通穴２２に通し、流量計本体１の開口部１１に設けられたネジ穴１２に螺合することにより、表示器ユニット２は、流量計本体１の開口部１１に蓋状に取り付けられる。
そして、例えば現場の作業者が表示部２１を認識しやすくするように、流量計本体１に対する表示器ユニット２の位置を図５の(ａ)で示される位置から、図５の（ｂ）で示される位置に変更する場合には、一旦ネジ３を流量計本体１および表示器ユニット２から取り外し、表示器ユニット２を図５の（ｂ）の位置に回転し、再びネジ３を、表示器ユニット２の貫通穴２２に通し、流量計本体１の開口部１１に設けられたネジ穴１２に螺合することにより取り付けることとなる。
特許文献１には、流量計本体に対して表示器ユニットの取り付け位置を変更する際に、一旦表示器ユニットを取り外して、再度位置を回転して取り付ける流量計の構成が記載されている。
【先行技術文献】
【特許文献】
【０００５】
【特許文献１】特開平１１−２３０８０３号公報
【発明の概要】
【発明が解決しようとする課題】
【０００６】
しかしながら、このような装置では、以下の問題があった。
（１）流量計本体１に取り付けた表示器ユニット２を、取り付け位置を変更して再度取り付ける際に、ネジ３を流量計本体１および表示器ユニット２からはずして、再び取り付け直す必要があり、現場作業者の工数負担が大きい。
（２）流量計本体１には、図示しない電子機器や表示器ユニット２への接続のためのケーブル等が内部に備えられており、表示器ユニット２を取り外した際に、それらが露出して損傷する危険がある。
（３）流量計は、工場等など劣悪な環境で用いられることがあり、表示器ユニット２を取り外した際に、塵や液体その他異物が流量計内部に侵入してしまう危険がある。
【０００７】
そこで、本発明の目的は、表示器ユニットを流量計本体に対して回転自在に取り付ける取り付け手段を設けることにより、流量計本体に対しての表示器ユニット取り付け位置を変更する際に、流量計本体から表示器ユニットを取り外すことを不要とする流量計を実現することにある。
【課題を解決するための手段】
【０００８】
このような課題を達成するために、本発明のうち請求項１記載の発明は、
開口部を備えた流量計本体と、前記開口部に蓋状に取り付けられた表示器ユニットとを備えた流量計において、
前記表示器ユニットを前記流量計本体に対して回転自在に取り付ける取付手段を有することを特徴とする。
【０００９】
請求項２記載の発明は、
開口部を備えた流量計本体と、前記開口部に蓋状に取り付けられた表示器ユニットとを備えた流量計において、
前記開口部の内周縁面に形成された凹凸部と、
前記表示器ユニットに設けられ、前記凹凸部に係合する突起部と、
を有し、前記凹凸部と前記突起部とにより前記表示器ユニットは前記流量計本体に対して回転自在に取り付けられることを特徴とする。
【００１０】
請求項３記載の発明は、請求項２記載の発明であって、
前記突起部は、前記凹凸部に係合するように前記開口部の内周の円径方向に伸縮可能な弾性を有することを特徴とする。
【００１１】
請求項４記載の発明は、請求項２記載の発明であって、
前記突起部は、前記表示器ユニットに取り付けられるばね構造部と、このばね構造部の先端に取り付けられ前記凹凸部に係合する係合部と、から成ることを特徴とする。
【００１２】
請求項５記載の発明は、請求項２〜４のいずれかに記載の発明であって、
前記凹凸部は、前記開口部の内周縁面の周方向に連続して形成された鋸歯で構成されることを特徴とする。
【００１３】
請求項６記載の発明は、請求項２〜４のいずれかに記載の発明であって、
前記凹凸部は、前記開口部の内周縁面の周方向に９０度毎に形成されることを特徴とする。
【００１４】
請求項７記載の発明は、
開口部を備えた流量計本体と、前記開口部に蓋状に取り付けられた表示器ユニットとを備えた流量計において、
前記開口部の内周縁面に形成された突起部と、
前記表示器ユニットに設けられ、前記突起部に係合する凹凸部と、
を有し、前記凹凸部と前記突起部とにより前記表示器ユニットは前記流量計本体に対して回転自在に取り付けられることを特徴とする。
【００１５】
請求項８記載の発明は、請求項７記載の発明であって、
前記突起部は、前記凹凸部に係合するように前記表示器ユニットの外周の円径方向に伸縮可能な弾性を有することを特徴とする。
【００１６】
請求項９記載の発明は、請求項７記載の発明であって、
前記突起部は、前記開口部の内周縁面に取り付けられるばね構造部と、このばね構造部の先端に取り付けられ前記凹凸部に係合する係合部と、から成ることを特徴とする。
【００１７】
請求項１０記載の発明は、請求項７〜９のいずれかに記載の発明であって、
前記凹凸部は、前記表示器ユニットの外周縁面の周方向に連続して形成された鋸歯で構成されることを特徴とする。
請求項１１記載の発明は、請求項７〜９のいずれかに記載の発明であって、
前記凹凸部は、前記表示器ユニットの外周縁面の周方向に９０度毎に形成されることを特徴とする。
【発明の効果】
【００１８】
本発明によれば、表示器ユニットを流量計本体に対して回転自在に取り付ける取り付け手段を設けたため、流量計本体から表示器ユニットを取り外すことなく、流量計本体に対して表示器ユニットの取り付け位置を回転自在に変更することができる。
【図面の簡単な説明】
【００１９】
【図１】本発明の一実施例の構成を示した組み立て図である。
【図２】図１に示す装置の流量計本体と表示器ユニットを上方から見た図である。
【図３】図１に示す装置の表示器ユニットを回転して取り付けた例を示した図である。
【図４】本発明の他の実施例を示した構成図である。
【図５】従来の流量計の構成例を示した組み立て図である。
【発明を実施するための形態】
【００２０】
以下本発明を、図面を用いて詳細に説明する。
図１は本発明の一実施例の構成を示した組み立て図、図２は本発明による流量計本体と表示器ユニットを上方から見た図である。
流量計本体４には、開口部４１が設けられており、この開口部４１の内周縁面には、その周方向に連続して形成された鋸歯状の凹凸部４２が全周に渡って設けられている。この凹凸部４２の下面には、外周が開口部４１の内周と接し、内周が鋸歯状の凹凸部４２の凸部分よりも内側に位置する、同心円状の板材であるストッパー材４３が設けられている。
円盤状の表示装置である表示器ユニット５には、外周面に突起部５１が設けられている。この突起部５１は、表示器ユニット５の外周面に取り付けられたバネ構造部５１１と、このバネ構造部５１１の先端に取り付けられ凹凸部４２に係合する係合部５１２と、から構成されている。この突起部５１は、バネ構造部５１１により、表示器ユニット５の円径方向に弾性を有する。
カバー６は、同心円状の板材であり、その外周が開口部４１の内周と接し、またその内周が表示器ユニット５の外周に接している。
【００２１】
このような装置における、取り付けの際の動作例を説明する。
流量計本体４の開口部４１を覆うよう上方から表示器ユニット５を取り付け、表示器ユニット５の突起部５１を流量計本体４の凹凸部４２の凹部に係合させる。
さらに、カバー６の下面が流量計本体４の凹凸部４２の上面と接するとともに、カバー６の外周が流量計本体４の内周と接するよう、カバー６を取り付ける。
つまり、表示器ユニット５は、上下方向にはカバー６とストッパー材４３とで固定され、また、円周方向には突起部５１が凹凸部４２の凹部に係合することで固定されることになる。
【００２２】
次に、表示器ユニット５に対する流量計本体４の位置を図３の(ａ)で示される位置から、図３の（ｂ）で示される位置に変更する動作を説明する。
係合部５１２が凹凸部４２の凹部と係合している状態において、表示器ユニット５を反時計回りに回転力を加え始めると、突起部５１が凹凸部４２の凸部によって押圧され、一旦係合が解除される。そして、更に回転を進めると、突起部５１が再び凹部と係合し固定される。この動作を繰り返し、表示器ユニット４を図３の（ｂ）へ回転させることができる。
つまり、鋸歯状の凹凸部４２の凹部の数に応じて、表示器ユニット４を所望の位置へ段階的に回転させることができる。
【００２３】
このように、流量計本体４の開口部４１の内周縁面に形成された凹凸部４２と、表示器ユニット５に設けられた弾性を有する突起部５１と、が係合して、流量計本体４に表示器ユニット５が取り付けられ、表示器ユニット５に対する流量計本体４の位置を回転させる際には、一旦凹凸部４２の凸部によって係合部５１２が押圧されることで係合が解除され、更に回転を加えると凹凸部５２の凹部で再度係合し固定されるので、流量計本体４から表示器ユニット５を取り外すことなく、流量計本体４に対して表示器ユニット５の取り付け位置を回転自在に変更することができる。
したがって、流量計本体４に取り付けた表示器ユニット５を、取り付け位置を回転して再度取り付ける際に、従来の流量計と比較して（１）現場の作業者の負担が軽減でき、（２）流量計本体４の内部にある図示しない電子機器やケーブルが露出せずそれらが損傷する危険を低減でき、（３）塵や液体、その他異物等が流量計内部へ侵入すること防ぐことができる。
【００２４】
なお、本発明はこれに限定されるものではなく、凹凸部は流量計本体４の開口部４１の内周縁面の全周に形成された構成を示したが、凹凸部が全周にではなく、図４のように、９０度毎に凹部４４が設けられる構成でもよい。この場合、９０度ごとに表示器ユニット５を回転させることができる。
【００２５】
また、突起部が流量計本体４の内周面に設けられ、凹凸部が表示器ユニット５の外周面に設けられる構成でもよい。この場合にも、凹凸部の凹部の数に応じて、表示器ユニット５を所望の位置でへ段階的に回転させることができる。
【符号の説明】
【００２６】
４  流量計本体
４１  開口部
４２  凹凸部
５  表示器ユニット
５１  突起部
５１１  ばね構造部
５１２  係合部
【図１】
2011107012.tif 000003
【図２】
2011107012.tif 000004
【図３】
2011107012.tif 000005
【図４】
2011107012.tif 000006
【図５】
2011107012.tif 000007